(57)【要約】【課題】  テントや簡易構造物の支柱を止める従来の手段は、打ち込みに手間を要す上に確実性を欠く事もあり、テントや簡易構造物が吹き飛んだり転倒し、時には事故を起こしている。  また撤去する時も、杭が抜けにくく時間がかかる。【解決手段】  先ずＬ金具の端に紐を結び、テントの支柱(９)の上部に結び付ける。次にＬ金具a(7a)の先に、頭部に円板Ａ(１)を溶接したスパイラル状の杭(２)を捻じ込んで地面に設置する。このときＬ金具を設置した時点で杭の打設位置も決定することができ、杭を簡単かつ確実に設置することができる。さらに、風により支柱が浮上がるとＬ金具aの端が引上げられるが、Ｌ金具aの先にスパイラル状の杭が捻じ込まれている上にこねた力が作用するので、容易に抜け上がる事はない。  また、撤去はＬ型金具をハンドル代わりにしてスパイラル状の杭を捻じ戻すだけなので簡単である。【選択図】  図３
2006152632.tif 000002
【特許請求の範囲】
【請求項１】
平鋼を長辺と短辺よりなるＬ型に曲げ、長辺の端に矩形の穴と、短辺の端に穴を開けたＬ金具ａを作り、更に頭部に円板Ａを溶接したスパイラル状の杭を作り、次にＬ金具ａの長辺を地面に置き、短辺の穴に紐を通して、更に紐をテントの支柱等に結び付け、最後に長辺の矩形の穴にスパイラル状の杭を捻じ込んでL金具aを地面に設置する事を特徴とする浮上がり防止杭。
【請求項２】
平鋼を長辺と短辺よりなるＬ型に曲げ、長辺の端に矩形の穴と、矩形の穴の外側に対象に２個のネジ穴を開け、短辺の端に穴を開けたＬ金具ａを作り、更にＬ金具ａに開けたネジ穴に、ボルト締め出来る間隔に、２個の穴を開けた円板Ｂを頭部に溶接したスパイラル状の杭を作り、次にＬ金具ａの長辺を地面に置き、矩辺の穴に紐を通して、更に紐をテントの支柱等に結び付け、長辺の矩形の穴にスパイラル状の杭を捻じ込んでL金具aを地面に設置し、最後にボルトで円板ＢをＬ金具ａに固定する事を特徴とする請求項１記載の浮上がり防止杭。
【請求項３】
平鋼を長辺と短辺よりなるＬ型に曲げ、長辺の端と短辺の端に、各々穴を開けたＬ金具ａを作り、更に頭部に円板Ａを溶接した棒状の杭を作り、次にＬ金具ａの長辺を地面に置き、短辺の穴に紐を通して、更に紐をテントの支柱等に結び付け、最後に長辺の穴に棒状の杭を打ち込んでL金具aを地面に設置する事を特徴とする請求項１記載の浮上がり防止杭。
【請求項４】
平鋼を長辺と短辺よりなるＬ型に曲げ、長辺の端に穴と、穴の外側に対象に２個のネジ穴を開け、短辺の端に穴を開けたＬ金具ａを作り、更にＬ金具ａに開けたネジ穴に、ボルト締め出来る間隔に、２個の長穴を開けた円板Ｂを頭部に溶接した棒状の杭を作り、次にＬ金具ａの長辺を地面に置き、短辺の穴に紐を通して、更に紐をテントの支柱等に結び付け、その後長辺の穴に棒状の杭を打ち込んでL金具aを地面に設置し、最後にボルトで円板ＢをＬ金具ａに固定する事を特徴とする請求項１記載の浮上がり防止杭。
【請求項５】
平鋼Ａと平鋼Ｂを直線状に並べて、間に蝶番に取付けて屈折可能にし、平鋼Ａの端に矩形の穴と、平鋼Ｂの端に穴を開けたＬ金具ｂを作り、更に円板Ａを頭部に溶接したスパイラル状の杭を作り、次にＬ金具ｂの平鋼Ａを地面に置き、平鋼Ｂの穴にボルトを通して、更に簡易構造物の柱等に取付け、最後に平鋼Ａの矩形の穴にスパイラル状の杭を捻じ込んでL金具aを地面に設置する事を特徴とする浮上がり防止杭。
【請求項６】
平鋼Ａと平鋼Ｂを直線状に並べて、間に蝶番に取付けて屈折可能にし、平鋼Ａの端に矩形の穴と、矩形の穴の外側に対象に２個のネジ穴を開け、平鋼Ｂの端に穴を開けたＬ金具ｂを作り、更にＬ金具ｂに開けたネジ穴に、ボルト締め出来る間隔に、２個の穴を開けた円板Ｂを頭部に溶接したスパイラル状の杭を作り、次にＬ金具ｂの平鋼Ａを地面に置き、平鋼Ｂの穴にボルトを通して、更に簡易構造物の柱等に取付け、その後平鋼Ａの矩形の穴にスパイラル状の杭を捻じ込んでL金具aを地面に設置し、最後にボルトで円板ＢをＬ金具bに固定する事を特徴とする請求項５記載の浮上がり防止杭。
【請求項７】
平鋼Ａと平鋼Ｂを直線状に並べて、間に蝶番に取付けて屈折可能にし、平鋼Ａの端と、平鋼Ｂの端にそれぞれ穴を開けたＬ金具ｂを作り、更に円板Ａを頭部に溶接した棒状の杭を作り、次にＬ金具ｂの平鋼Ａを地面に置き、平鋼Ｂの穴にボルトを通して、更に簡易構造物の柱等に取付け、最後に平鋼Ａの穴に棒状の杭を打ち込んでL金具aを地面に設置する事を特徴とする請求項５記載の浮上がり防止杭。
【請求項８】
平鋼Ａと平鋼Ｂを直線状に並べて、間に蝶番に取付けて屈折可能にし、平鋼Ａの端に穴と、穴の外側に対象に２個のネジ穴を開け、平鋼Ｂの端に穴を開けたＬ金具ｂを作り、更にＬ金具ｂに開けたネジ穴に、ボルト締め出来る間隔に、２個の穴を開けた円板Ｂを頭部に溶接した棒状の杭を作り、次にＬ金具ｂの平鋼Ａを地面に置き、平鋼Ｂの穴にボルトを通して、更に簡易構造物の柱等に取付け、その後平鋼Ａの穴に棒状の杭を打ち込んでL金具aを地面に設置し、最後にボルトで円板BをL金具bに固定する事を特徴とする請求項５記載の浮上がり防止杭。
【発明の詳細な説明】
【技術分野】
【０００１】
本発明は、テント等の支柱や、物置、仮設住宅等の簡易構造物の柱に取付けて、テントや簡易構造物が強風等により、浮き上がったり転倒するのを防止する杭に関するものである。
【背景技術】
【０００２】
従来テントの支柱を止めるのは、支柱にロープをかけ、ロープを斜めに引張り、地面に打ち込んだ杭に結び付けている。簡易構造物の場合も同様に、構造物にワイヤーをかけ、ワイヤーを斜めに引張り、地面に打ち込んだ杭に結び付けている。なお杭については、以下の特許文献がある。
【特許文献１】実開昭５１−45802
【特許文献２】実開昭５３−93430
【特許文献３】特開平１１−7781307
【特許文献４】特開2000−87349
【発明の開示】
【発明が解決しようとする課題】
【０００３】
このように従来のテントや簡易構造物等の固定方法は、地面に打ち込んだ杭に止めているが、設置に手間を要す上に打設に確実性を欠く場合もあり、杭が抜けてしまうこともある。この為テントや簡易構造物が吹き飛んだり転倒したりして、時には事故を起こしている。また撤去する際に、杭は引き抜く事が難しいので時間がかかる。
そこで短時間で確実に打設できる風が吹いても容易に抜けない杭を作り、テントや簡易構造物の安全性を高め、同時に設置や撤去するのに時間が掛からないようにする。
【課題を解決するための手段】
【０００４】
この為図２に示す如く、まず平鋼を長辺(３)と短辺(４)よりなるＬ型に曲げる。
そして長辺の端に矩形の穴(５)を開け、更に短辺に穴(６)を開けたＬ金具ａ(７a)を作る。
次に図１に示す如く、頭部に円板Ａ(１)を溶接したスパイラル状の杭(２)を作る。そこで図３に示す如く、先ずＬ金具ａの長辺を地面の所定の位置に置く。
次に短辺の穴に紐(８)を通して、紐をテントの支柱と連結する。  
【０００５】
長辺の矩形の穴に、スパイラル状の杭を立て、ハンマーで杭の円板Ａを叩く。すると杭は矩形の穴に沿って回転しながら、地面に捻じ込まれて、Ｌ金具ａが地面に設置されれば取付が完了する。
最後に、紐をテントの支柱(９)の上部に結び付ける。
【発明の効果】
【０００６】
第一の効果。スパイラル状の杭は、螺旋状に地面に捻じ込まれる。この為引き抜く時は土を破断しないと抜けない為、容易に抜けない特徴がある。
第二の効果。図13に示す如く、テントが風等によりテントの支柱(９)が浮き上がらうとすると、Ｌ金具ａ(７a)の短辺(４)が、矢印で示す如く上に引張られる。
その時スパイラル状の杭(２)にはこねた力がかかる。Ｌ金具ａとスパイラル状の杭の組合せを、こねた力で抜く事は容易ではない。
第三の効果。スパイラル状の杭は、抜く事は出来ないが、回せば簡単に抜く事が出来る特徴を持っている。そこでＬ金具ａの端を掴んで回せば、簡単に抜く事が出来る。この為撤去が簡単で、しかも地面は元のままの状態になり、地面を破壊する事がない。
第四の効果。設置は所定の位置にＬ金具ａを置き、スパイラル状の杭を捻じ込み、紐を結び付けるだけなので、極めて簡単で短時間で出来る。
【発明を実施するための最良の形態】
【０００７】
第一段階として、平鋼を曲げてＬ金具ａとした、請求項１から請求項４の実施例について説明する。
先ず請求項１の実施例を実施例１に、請求項２の実施例を実施例２に記載している。請求項１、請求項２は、何れもスパイラル状の杭を使用したものである。そして請求項２は、スパイラル状の杭をＬ金具ａにボルト締めしたものである。
【０００８】
次に請求項３の実施例を実施例３に、請求項４の実施例を実施例４に記載している。請求項３、請求項４は、何れもスパイラル状の杭の代わりに、棒状の杭を使用したものである。そして請求項４は、棒状の杭をＬ金具ａにボルト締めしたものである。
棒状の杭は、スパイラル状の杭に比べると、支柱を保持する力は落ちるが、安く出来るので、充分実用性がある。
【実施例１】
【０００９】
図２は平鋼を長辺(３)と短辺(４)よりなるＬ型に曲げ、長辺の端に矩形の穴(５)を開け、更に短辺に穴(６)を開けたＬ金具ａ(７a)を示している。図１は頭部に円板Ａ(１)を溶接したスパイラル状の杭(２)を示している。図３はＬ金具aの長辺を地面に置き、Ｂ辺の穴に紐(８)を通して、紐をテントの支柱(９)の上部に結び付けて、スパイラル状の杭を捻じ込んで設置した状態を示している。
【実施例２】
【００１０】
図５は平鋼を長辺(3)と短辺(4)よりなるＬ型に曲げ、長辺の端に矩形の穴(５)を開け、更に矩形の穴の外側に対象に２個のネジ穴(10)を開け、短辺の端に穴(6)を開けたＬ金具ａ(7a)を示している。図４は長辺に開けたネジ穴に、ボルト締め出来る間隔に、２個の穴(11)を開けた円板Ｂ(12)を頭部に溶接したスパイラル状の杭(2)を示している。
図６はＬ金具ａ(7a) の長辺を地面に置き、長辺の矩形の穴に、スパイラル状の杭を捻じ込んで、Ｌ金具ａを地面に設置し、更にボルトで円板ＢをＬ金具ａに固定した状態を示している。
【００１１】
スパイラル状の杭をＬ金具ａにボルト締めする事により、両者は一体に構成され、こねる力に対する抵抗力は一層強いものになる。
【実施例３】
【００１２】
図8は平鋼を長辺(3)と短辺(4)よりなるＬ型に曲げ、長辺の端に穴を開け、更に短辺に穴を開けたＬ金具ａ(7a)を示している。図7は頭部に円板Ａ(1)を溶接した棒状の杭(14)を示している。図９はＬ金具ａの長辺を地面に置き、棒状の杭を打ち込んだ状態を示している。
【実施例４】
【００１３】
図11は平鋼を長辺(3)と短辺(4)よりなるＬ型に曲げ、長辺の端に穴を開け、更に穴の外側に対象に２個のネジ穴(10)を開け、短辺に穴を開けたＬ金具ａ(7a)を示している。図10は長辺に開けたネジ穴に、ボルト締め出来る間隔に、２個の長穴(15)を開けた円板Ｂ(12)を頭部に溶接した棒状の杭(14)を示している。 図12はＬ金具ａの長辺を地面に置き、棒状の杭を打ち込んでＬ金具ａを地面に固定し、更にボルトで円板ＢをＬ金具aに固定した状態を示している。
【００１４】
次に第二段階として、平鋼Ａと平鋼Ｂを直線状に並べ、間に蝶番に取付けてＬ金具ｂとした、請求項5から請求項8の実施例について説明する。
先ず請求項5の実施例を実施例5に、請求項6の実施例を実施例6に記載している。請求項5、請求項6は、何れもスパイラル状の杭を使用したものである。そして請求項6は、スパイラル状の杭をＬ金具ｂにボルトで固定したものである。
次に請求項7の実施例を実施例7に、請求項8の実施例を実施例8に記載している。請求項7、請求項8は、何れもスパイラル状の杭の代わりに、棒状の杭を使用したものである。そして請求項8は、棒状の杭をＬ金具ｂにボルトで固定したものである。
【実施例５】
【００１５】
図14は平鋼Ａ(16)と平鋼Ｂ(17)を直線状に並べて、間に蝶番(18)に取付けて屈折可能にしたＬ金具ｂ(7b)を示している。そして平鋼Ａの端に矩形の穴(5)と、平鋼Ｂの端に穴(6)を開けている。
そこで図15により、これを取付けた状況を説明する。先ずＬ金具ｂの平鋼Ａを地面に置いて、平鋼Ｂの穴にボルトを通して簡易構造物の柱(13)に取付ける。最後に図１に示すスパイラル状の杭を平鋼Ａの矩形の穴に捻じ込んでＬ金具ｂを地面に設置する。この場合簡易構造物が浮き上がらうとすると、蝶番があるのでＬ金具ｂにこねる力が働き容易に抜け上がる事はない。
【実施例６】
【００１６】
図16は、図14で示したＬ金具ｂの平鋼Ａの端に矩形の穴(5)と、矩形の穴の外側に対象に２個のネジ穴(10)を開け、平鋼Ｂの端に穴(6)を開けた物である。
このＬ金具ｂに対しては、図4の円板Ｂ(12)を頭部に溶接したスパイラル状の杭(2)を捻じ込んで設置する。
【実施例７】
【００１７】
図17は、図14で示したＬ金具ｂの平鋼Ａの端と、平鋼Ｂの端にそれぞれ穴を開けた物である。このＬ金具ｂに対しては、図7の頭部に円板Ａ(1)を溶接した棒状の杭(14)を打ち込んで設置する。
【実施例８】
【００１８】
図18は、図14で示したＬ金具ｂの平鋼Ａの端に穴を開け、更に穴の外側に対象に２個のネジ穴(10)を開け、平鋼Ｂの端にも穴(6)を開けた物である。このＬ金具ｂに対しては、図10の頭部に円板Ｂ(12)を頭部に溶接した棒状の杭(14)を打ち込んで設置する。
【００１９】
上記実施例6、7、８の、簡易構造物の柱に取付けた状態図は、何れも図15に準ずるので省略する。
【産業上の利用可能性】
【００２０】
このように本発明の浮上がり防止杭は、テント等の支柱や、物置、仮設住宅等の簡易構造物の柱に取付けて、強風によりテントや簡易構造物が、浮き上がったり転倒するのを防止する事に利用できる。
【図面の簡単な説明】
【００２１】
【図１】本発明第１実施例のスパイラル杭
【図２】本発明第１実施例のＬ金具a。
【図３】本発明第１実施例の設置した状況図。
【図４】本発明第2実施例のスパイラル杭
【図５】本発明第2実施例のＬ金具a。
【図６】本発明第2実施例の組合せた状況図。
【図７】本発明第3実施例の棒状の杭
【図８】本発明第3実施例のＬ金具a。
【図９】本発明第3実施例の組合せた状況図。
【図１０】本発明第4実施例の棒状の杭
【図１１】本発明第4実施例のＬ金具a。
【図１２】本発明第4実施例の組合せた状況図。
【図１３】本発明のこねる力の説明図。
【図１４】本発明第5実施例のＬ金具b。
【図１５】本発明第5実施例の設置した状況図。
【図１６】本発明第6実施例のＬ金具b。
【図１７】本発明第7実施例のＬ金具b。
【図１８】本発明第8実施例のＬ金具b。
【符号の説明】
【００２２】
１     円板Ａ          ２    スパイラル状の杭   ３  
長辺
4      短辺            ５    矩形の穴           ６    穴
7a   
Ｌ金具a          7b    Ｌ金具b          
８   紐  
９    テントの支柱     10    ネジ穴              11   ２個の穴  
12    円板Ｂ           13    簡易建造物の柱      14   棒状の杭  
15    長穴             16    平鋼Ａ              17    平鋼Ｂ
18    蝶番
【図１】
2006152632.tif 000003
【図２】
2006152632.tif 000004
【図３】
2006152632.tif 000005
【図４】
2006152632.tif 000006
【図５】
2006152632.tif 000007
【図６】
2006152632.tif 000008
【図７】
2006152632.tif 000009
【図８】
2006152632.tif 000010
【図９】
2006152632.tif 000011
【図１０】
2006152632.tif 000012
【図１１】
2006152632.tif 000013
【図１２】
2006152632.tif 000014
【図１３】
2006152632.tif 000015
【図１４】
2006152632.tif 000016
【図１５】
2006152632.tif 000017
【図１６】
2006152632.tif 000018
【図１７】
2006152632.tif 000019
【図１８】
2006152632.tif 000020